(57)【要約】【課題】本発明は液晶パネルの駆動方法を開示する。【解決手段】ここで、前記駆動方法は、（Ａ）現在フレームの正常表示時間帯からタッチ走査時間帯に変換する瞬間、液晶パネルの各画素の共通電極に第１冗長駆動電圧を加えることと、（Ｂ）現在フレームのタッチ走査時間帯から次のフレームの正常表示時間帯に変換する瞬間、前記各画素の共通電極に第２冗長駆動電圧を加えることと、を含む。前記方法に基づいて、共通電極が所定のレベル電圧に達する時間を短縮することができることにより、内嵌合式タッチスクリーンパネルのタッチ走査と正常表示との相互切換の瞬間、信号の異常により表示とタッチの不良になる問題を効果的に解決する。
2019500642.tif 000002
【特許請求の範囲】
【請求項１】
液晶パネルの駆動方法であって、
（Ａ）現在フレームの正常表示時間帯からタッチ走査時間帯に変換する瞬間、液晶パネルの各画素の共通電極に第１冗長駆動電圧を加えることと、
（Ｂ）現在フレームのタッチ走査時間帯から次のフレームの正常表示時間帯に変換する瞬間、前記各画素の共通電極に第２冗長駆動電圧を加えることと、
を含む、
ことを特徴とする駆動方法。
【請求項２】
前記第１冗長駆動電圧は正値であり、所定の高レベル電圧の１．２倍から２倍であり、前記第２冗長駆動電圧は負値であり、前記第２冗長駆動電圧と所定の低レベル電圧との差の絶対値は前記第１駆動電圧と所定の高レベル電圧との差の絶対値とが同じである、
ことを特徴とする請求項１に記載の駆動方法。
【請求項３】
前記所定の高レベル電圧は各画素の電源電圧であり、前記所定の低レベル電圧は地電圧である、
ことを特徴とする請求項２に記載の駆動方法。
【請求項４】
前記液晶パネルのデータドライバーを介して、共通電極に第１冗長駆動電圧と第２冗長駆動電圧を加える、
ことを特徴とする請求項１に記載の駆動方法。
【請求項５】
前記液晶パネルに設置された独立な電圧源を介して、共通電極に第１冗長駆動電圧と第２冗長駆動電圧を加える、
ことを特徴とする請求項１に記載の駆動方法。
【請求項６】
前記液晶パネルは内嵌合式（ｉｎ  ｃｅｌｌ）液晶パネルである、
ことを特徴とする請求項１に記載の駆動方法。
【発明の詳細な説明】
【技術分野】
【０００１】
本発明は、一般的に言えば、液晶表示技術分野に関し、さらに具体的には、特に液晶パネルの駆動方法に関する。
【背景技術】
【０００２】
液晶表示技術の迅速な発展に伴って、タッチスクリーンパネル（Ｔｏｕｃｈ  Ｓｃｒｅｅｎ  Ｐａｎｅｌ）は既に人々の生活に次第に普及している。現在、タッチスクリーンパネルは構成構造により、外嵌式タッチスクリーンパネル（Ａｄｄ  ｏｎ  Ｍｏｄｅ  Ｔｏｕｃｈ  Ｐａｎｅｌ）と内嵌合式タッチスクリーンパネル（Ｉｎ  Ｃｅｌｌ  Ｔｏｕｃｈ  Ｐａｎｅｌ）に分けることができる。ここで、外嵌式タッチスクリーンパネルはタッチスクリーンパネルと液晶表示スクリーン（Ｌｉｑｕｉｄ  Ｃｒｙｓｔａｌ  Ｄｉｓｐｌａｙ，ＬＣＤ）を分けて生産し、その後、一体に貼り合ってタッチ機能を有する液晶表示スクリーンになり、外嵌式タッチスクリーンパネルは製造コストが高く、光透過率が低く、ダイセットが厚い等の欠点が存在し、内嵌合式タッチスクリーンパネルはタッチスクリーンパネルのタッチ電極を液晶表示スクリーンの内部に嵌め込まれ、このような方式を介して、薄型ダイセット全体の厚さを軽減することができると同時に、大幅にタッチスクリーンパネルの製造コストを降下させ、従って、内嵌合式タッチスクリーンパネルは大手パネルメーカーに褒められている。
【０００３】
現在、内嵌合式タッチスクリーンパネルは相互容量と自己容量タッチスクリーンパネルに分けることができ、ここで、自己容量タッチスクリーンパネルは自己容量の原理を利用し指のタッチ位置の検出を実現し、具体的には、共通電極ＩＴＯ（導電性ガラス）を複数の相互に絶縁するタッチセンサに分けられ、人体はタッチスクリーンパネルにタッチしていない時、各タッチセンサが耐えられる静電容量は固定値であり、人体はタッチスクリーンパネルにタッチする時、タッチ位置に対応するタッチセンサが耐えられる静電容量は固定値に人体静電容量を累積するものであり、タッチ探知チップはタッチ時間帯に各タッチセンサの静電容量の変化を検出することにより、タッチ位置を判断することができる。ここで、表示とタッチ機能を同時に実現するために、嵌め込み式タッチスクリーンパネルに対し、それぞれタッチスクリーンパネルのタッチ機能と表示機能を実現するために、タッチ機能を実現するタッチ回路と表示を実現する表示回路に対し駆動する必要がある。従来の駆動方法において、一般的には、タッチ回路と表示回路に対し時分割に走査し、即ち、タッチスクリーンパネルの表示を駆動すると同時に、タッチスクリーンパネルのタッチ操作に対する探知を停止する。上記駆動過程を実現するために、一般的に、正常表示段階において、共通電極ＩＴＯ層を共通電極として使用され、且つ、共通電極信号は直流信号であり、タッチ走査段階において、共通電極ＩＴＯ層を複数のタッチセンサとして使用され、且つタッチ信号は交流信号である。このように、上記２種の信号を切り換える過程に（特に切り換える瞬間）、信号遅延等の効果により信号の一時的な異常になり、それにより、各種の表示問題とタッチ問題を引き起す。
【０００４】
例えば、図１は従来の技術の内嵌合式タッチスクリーンパネルの理想的電圧波形を示す図である。図１からわかることは、１つのフレーム時間内に、タッチセンサと共通電極は時分割多重化方式で作業し、即ち、一部分の時間は表示（直流信号電圧を提供する）に用いられ、他の部分の時間はタッチ走査（交流信号電圧を提供する）に用いられる。しかしながら、図１に示された示す図は理想的な状況に過ぎず、実際に、嵌め込み式タッチスクリーンパネルにいくつかの等価抵抗又は静電容量が存在し、信号線自身も一定の抵抗が存在し、従って、信号伝送過程に遅延が存在し、図２に示すように、嵌め込み式タッチスクリーンパネルの実際の電圧波形であり、図２からわかることは、上記原因が存在するため、信号は正常表示段階の電圧レベルによりタッチ走査段階の電圧レベルに切り換える時、一定の遅延を有し、同じように、信号はタッチ走査段階の電圧レベルから正常表示段階の電圧レベルに切り換える時、一定の遅延を有し、遅延が存在するため、切り換える瞬間、信号の異常により、画面表示の不良又は他の異常現象になる。
【発明の概要】
【発明が解決しようとする課題】
【０００５】
これを鑑み、本発明は液晶パネルの駆動方法を提供することにより、従来の内嵌合式タッチスクリーンパネルのタッチ走査と正常表示との切換えの瞬間、信号異常により表示とタッチの不良になる問題を解決することを目的である。
【課題を解決するための手段】
【０００６】
本発明の例示的実施例の一方に基づいて、液晶パネルの駆動方法を提供し、ここで、前記駆動方法は、（Ａ）現在フレームの正常表示時間帯からタッチ走査時間帯に変換する瞬間、液晶パネルの各画素の共通電極に第１冗長駆動電圧を加えることと、（Ｂ）現在フレームのタッチ走査時間帯から次のフレームの正常表示時間帯に変換する瞬間、前記各画素の共通電極に第２冗長駆動電圧を加えることと、を含む。
【０００７】
好ましくは、前記第１冗長駆動電圧は正値であり、所定の高レベル電圧の１．２倍から２倍であり、前記第２冗長駆動電圧は負値であり、前記第２冗長駆動電圧と所定の低レベル電圧との差の絶対値は前記第１駆動電圧と所定の高レベル電圧との差の絶対値とが同じである。
【０００８】
好ましくは、前記所定の高レベル電圧は各画素の電源電圧であり、前記所定の低レベル電圧は地電圧である。
【０００９】
好ましくは、前記液晶パネルのデータドライバーを介して、共通電極に第１冗長駆動電圧と第２冗長駆動電圧を加える。
【００１０】
好ましくは、前記液晶パネルに設置された独立な電圧源を介して、共通電極に第１冗長駆動電圧と第２冗長駆動電圧を加える。
【００１１】
好ましくは、前記液晶パネルは内嵌合式（ｉｎ  ｃｅｌｌ）液晶パネルである。
【発明の効果】
【００１２】
本発明の例示的実施例に基づいて提供された液晶パネルの駆動方法は、前記液晶パネルの駆動方法に基づいて、共通電極が所定のレベル電圧に達する時間を短縮することができることにより、内嵌合式タッチスクリーンパネルのタッチ走査と正常表示との相互切換の瞬間、信号の異常により表示とタッチの不良になる問題を効果的に解決する。
【図面の簡単な説明】
【００１３】
以下に図面と合わせて詳細に記述し、本発明の例示的な実施例の上記とその他の目的、特徴と利点はさらに明らかになる。ここで、
【００１４】
【図１】従来の技術の内嵌合式タッチスクリーンパネルの理想的電圧波形を示す図である。
【図２】従来の技術の内嵌合式タッチスクリーンパネルの実際の電圧波形を示す図である。
【図３】本発明の例示的実施例に基づいて、液晶パネルの駆動方法のフローチャートを示す。
【図４】本発明の例示的実施例に基づいて、液晶パネルを駆動する実例を示す。
【発明を実施するための形態】
【００１５】
本発明の例示的実施例を詳細に参照し、前記実施例の実例は図面に示したが、ここで、同じ記号は終始に同じ部品を指す。本発明を便利に解釈するために、以下に図面を参照し前記実施例を説明する。
【００１６】
図３は本発明の例示的実施例に基づいて、液晶パネルの駆動方法のフローチャートを示す。ここで、実例として、前記液晶パネルは内嵌合式（ｉｎ  ｃｅｌｌ）液晶パネルであってもよく、例えば、内嵌合式タッチスクリーンパネルである。それ以外、理解すべきなのは、上記液晶パネルは内嵌合式（ｉｎ  ｃｅｌｌ）液晶パネルに限定できず、いずれかのタッチスクリーンパネル機能を有する液晶表示スクリーンであってもよく、例えば、外嵌式タッチスクリーンパネル等である。
【００１７】
図３に示すように、ステップＳ１００において、現在フレームの正常表示時間帯からタッチ走査時間帯に変換する瞬間、液晶パネルの各画素の共通電極に第１冗長駆動電圧を加える。ステップＳ２００において、現在フレームのタッチ走査時間帯から次のフレームの正常表示時間帯に変換する瞬間、前記各画素の共通電極に第２冗長駆動電圧を加える。
【００１８】
具体的には、前に記述されたように、実際に液晶パネルに複数の等価容量又は抵抗が存在し、且つ信号線自身も一定の抵抗が存在するため、液晶パネルの異なる機能の切り換えを実現する瞬間、信号の遅延等の効果により信号の一時的な異常になり、従って、本発明の例示的実施例において、液晶パネルの異なる機能を切換える瞬間、各画素の共通電極が短い時間帯に所定のレベル電圧に達するように、液晶パネルの各画素の共通電極に大きな駆動電圧を提供することができる。
【００１９】
ここで、液晶パネルにおけるハードウェア設備を介して液晶パネルの各画素の共通電極に第１冗長駆動電圧と第２冗長駆動電圧を加え、例えば、前記液晶パネルのデータドライバーを介して共通電極に第１冗長駆動電圧と第２冗長駆動電圧を加え、又は、前記液晶パネルに設置された独立な電圧源を介して共通電極に第１冗長駆動電圧と第２冗長駆動電圧を加える。ここで、第１電圧源を介して共通電極に第１冗長駆動電圧を加え、第２電圧源を介して共通電極に第２冗長駆動電圧を加え、しかしながら、１つの電圧源を介して、異なる時刻にそれぞれ共通電極に第１冗長駆動電圧と第２冗長駆動電圧を加える。
【００２０】
実例として、前記第１冗長駆動電圧は正値であり、所定の高レベル電圧の１．２倍から２倍であり、前記第２冗長駆動電圧は負値であり、前記第２冗長駆動電圧と所定の低レベル電圧との差の絶対値は前記第１駆動電圧と所定の高レベル電圧との差の絶対値とが同じである。ここで、前記所定の高レベル電圧は各画素の電源電圧であってもよく、低レベル電圧は地電圧であってもよい。例えば、所定の高レベルは各画素の電源電圧４Ｖであるとすると、所定の低レベル電圧は地電圧０Ｖであり、第１冗長駆動電圧は所定の高レベル電圧の１．５倍であれば、第１冗長駆動電圧は６Ｖであり、第２冗長駆動電圧は‐２Ｖである。
【００２１】
図４は本発明の例示的実施例に基づいて、液晶パネルを駆動する実例を示す。図４に示すように、液晶パネルの正常表示期間は複数のフレームを含むことができ、各フレームはいずれも所定のタッチ走査時間帯と正常表示時間帯を有し、ここで、図４における点線は本発明の実施例の駆動方法を応用していない液晶パネルの電圧の波形線を示し、ここで、液晶パネルの抵抗により信号伝送過程における遅延になるため、各画素の共通電極は規定された時間帯に所定のレベル電圧に達することができないことになる。図４における太線は本発明の実施例の駆動方法を応用した後の液晶パネルの電圧の波形線を示し、ここで、現在フレームの正常表示時間帯からタッチ走査時間帯に変換する瞬間、液晶パネルの各画素の共通電極に第１冗長駆動電圧を加え、現在フレームのタッチ走査時間帯から次のフレームの正常表示時間帯に変換する瞬間、前記各画素の共通電極に第２冗長駆動電圧を加え、共通電極が所定のレベル電圧に達する時間を短縮することができ、それにより、液晶パネルの表示とタッチ品質を改善する。
【００２２】
要するに、本発明の例示的実施例に基づいて、液晶パネルを駆動する方法において、共通電極が所定のレベル電圧に達する時間を短縮することができることにより、内嵌合式タッチスクリーンパネルのタッチ走査と正常表示の相互切換の瞬間、信号の異常により表示とタッチの不良になる問題を効果的に解決する。顕然に、本発明の保護範囲は上記具体的な実施形態に限定できず、当業者であれば、本発明の精神と範囲を逸脱しない状況において、発明に対し各種の改善と変形を行うことができる。このように、本発明のこれらの修正と変形は本発明の請求項及びその等価技術範囲内に属すれば、本発明はこれらの改善と変形を含むことを図る。
【図１】
2019500642.tif 000003
【図２】
2019500642.tif 000004
【図３】
2019500642.tif 000005
【図４】
2019500642.tif 000006
【国際調査報告】
2019500642.tif 000007
2019500642.tif 000008
2019500642.tif 000009
2019500642.tif 000010